(57)【要約】   本明細書で開示するのは、フラフープを回転させると、水平方向だけでなく垂直方向にも押圧力を印加し、それにより良好な運動効果を得られ、指圧作用及び圧迫作用を、指圧突起を使用して及ぼす該フラフープである。該フラフープには、第１及び第２リング（１０、２０）を含む。突起部（１１、２１）と溝部（１２、２２）を、第１及び第２リング（１０、２０）に交互に設ける。流線形の身体押圧用空隙部（３０）を、内方突起部（１１、２１）を互いに着接することによって溝部（１２、２２）間で画定し、それによりウエストの肉（ｈ）を溝部間で挟み、その結果垂直方向に押圧力を提供する。【選択図】図１
2009509626.tif 000002
【特許請求の範囲】
【請求項１】
垂直方向にウエストの肉を押圧するフラフープであって、該フラフープには：第１リング及び第２リング；該第１リング及び該第２リングに交互に設ける突起部及び溝部；及び、前記ウエストの肉を前記溝部間で挟み、その結果垂直方向に押圧力を提供するように、内方突起部を互いに着接して前記溝部間で画定する流線形の身体押圧用空隙部、を備えること、を特徴とするフラフープ。
【請求項２】
前記内方突起部を着接する手段には、前記第１リングと前記第２リングとに、逆の磁極を露出させて、固定する第１磁性部材、を備え、第２磁性部材を外方突起部に、前記第１磁性部材の磁極と逆の磁極を露出させて、設け、第３磁性部材を前記溝部に、前記溝部の両側に設けた前記突起部に固定した前記第１及び前記第２磁性部材の磁極と同じ磁極を露出させて、設けること、を特徴とする請求項１に記載のフラフープ。
【請求項３】
薄い不織布を、滑動を防ぐために、前記第１、第２及び第３磁性部材の各表面に着接すること、を特徴とする請求項２に記載のフラフープ。
【請求項４】
前記突起部をマジックテープで着接すること、を特徴とする請求項１に記載のフラフープ。
【請求項５】
前記第１及び第２リング各々には、その内周面に複数の指圧突起を有し、該指圧突起の各々には、指圧ヘッド、該指圧ヘッドから後方に延伸する螺旋シャフト、及び該螺旋シャフトの端部に設けたストッパを備えること、を特徴とする請求項１に記載のフラフープ。
【請求項６】
前記第１及び第２リング各々の前記内周面から突起する各前記指圧突起の高さを調節して、各前記突起部内でのみ突起させること、を特徴とする請求項５に記載のフラフープ。
【発明の詳細な説明】
【技術分野】
【０００１】
本発明は、概してフラフープに関し、より詳しくは、垂直方向にウエストの肉を押圧する改良したフラフープに関し、該フラフープを、ユーザが該フラフープを使用してウエストの運動を行う間に、ウエストの肉を垂直方向に挟み、その結果優れたウエスト運動効果を得られるように構成する。
【背景技術】
【０００２】
一般的に、用語“フラフープ”は、環状の輪（フープ）を腰の周りに、フラダンスでのように、回転させて、遊ぶ又は健康を増進するための器具を指す。フラフープは、ウエストの筋肉を強化するためのウエスト用運動器具として使用されている。
【０００３】
フラフープは、通常単純なリング形状をしている。また、その内周面に指圧突起を有するフラフープが広く普及している。
【０００４】
フラフープを回転させると、ウエストを水平方向に押圧又はマッサージするが、押圧力は垂直方向にはウエストに作用しない。
【０００５】
更に改良したフラフープについて、韓国実用新案登録番号第２０-０２１０３５１号及び２０-０２４９５５３号において開示されている。韓国実用新案登録番号第２０-０２１０３５１号では、２本の環状フラフープを互いに結合させている。一方、韓国実用新案登録番号第２０-０２４９５５３号では、フラフープを波形状にして、ウエストとの接触面積を増大するよう構成している。
【０００６】
従来のフラフープは、フラフープを回転させる際に、身体（ウエスト）との接触面積が増大する点で、有利である。しかしながら、従来のフラフープは、先行技術の場合のように、押圧力が全く垂直方向に作用せず、押圧力が水平方向にのみ作用する点で問題がある。
【発明の開示】
【０００７】
技術的な課題
従って、本発明は、先行技術で生じる上記課題を念頭に置いて作製したものであり、本発明の目的は、フラフープを回転させた際に、水平方向だけでなく垂直方向にも押圧力を印加して、優れた運動効果を得られる、フラフープを提供することである。
【０００８】
本発明の別の目的は、垂直方向での押圧作用と、指圧突起を使用して指圧作用及び圧迫作用を与える、フラフープを提供することである。
【０００９】
技術的な解決方法
上記目的を達成するために、本発明は、垂直方向にウエストの肉を押圧するフラフープを提供するが、該フラフープには、第１リング及び第２リングに交互に設ける突起部及び溝部と、ウエストの肉を溝部間で挟み、その結果垂直方向に押圧力を提供するように、内方突起部を互いに着接して溝部間で画定する流線形の身体押圧用空隙部と、を含む。
【００１０】
内方突起部を着接する手段を、第１リングと第２リングとに、逆の磁極を露出させて、固定する第１磁性部材とし、第２磁性部材を外方突起部に、第１磁性部材の磁極と逆の磁極を露出させて、設け、第３磁性部材を溝部に、該溝部の両側に設けた突起部に固定した第１及び第２磁性部材の磁極と同じ磁極を露出させて、設ける。
【００１１】
薄い不織布を、滑動を防ぐために、第１、第２及び第３磁性部材の各表面に着接する。
【００１２】
突起部をマジックテープ（登録商標）で着接する。
【００１３】
第１及び第２リング各々には、その内周面に複数の指圧突起を有し、該指圧突起の各々には、指圧ヘッドと、該指圧ヘッドから後方に延伸する螺旋シャフトと、該螺旋シャフトの端部に設けたストッパとを含む。
【００１４】
第１及び第２リング各々の内周面から突起する各指圧突起の高さを調節して、各突起部内でのみ突起させる。
【発明を実施するための最良の形態】
【００１５】
本発明について、添付図を参照して詳述する。
【００１６】
図１は本発明によるフラフープを示す斜視図であり、図２は該フラフープの正面図である。本発明によるフラフープは、全体的にリング形状をしており、第１リング１０及び第２リング２０を備える。正面から見ると、突起部１１と突起部２１及び溝部１２と溝部２２を、垂直方向にして第１リング１０と第２リング２０に設けており、それにより該突起部と該溝部とが交互になっている。
【００１７】
更に、身体を押圧する空隙部３０は夫々流線形をしており、該空隙部を、第１リング１０と第２リング２０との間で画定し、一定の間隔で形成する。本明細書では、第１リング１０及び第２リング２０を、第１及び第２リング１０及２０と呼ぶこともある。
【００１８】
身体押圧用空隙部３０を形成するために、第１及び第２リング１０及び２０を、  それらの突起部１１と突起部２１が互いに接触するように、互いに着接する。それにより、流線形の身体押圧用空隙部３０を、溝部１２と２２との間で形成する。
【００１９】
最も好適には、第１リング１０と第２リング２０とを互いに一体にして単一の構造体にする。しかしながら、そうした構成体には、極めて大型の金型が必要で、そうした金型は扱いにくく、製造コストが高く、従って消費者への最終価格も増大することになる。従って、第１及び第２リング１０及び２０を、幾つかのリング片に分割する。図３で示すように、係止突部ｂを、各片ａの端部に設け、別の片ａの係止孔ｃに挿入する。その後、該片が不所望に互いから分離しないように、バネ（図示せず）の弾力によって外側に突出する弾性突片ｄで、組付ける。
【００２０】
更に、第１リング１０と第２リング２０を、別々に製造してもよく、突起部１１と突起部２１を、着接手段を介して互いに着接してもよい。
【００２１】
図４乃至図７は、該着接手段を示す垂直断面図である。
【００２２】
図４を参照すると、突起部１１及び２１を、磁性部材１３及び２３を夫々突起部１１及び２１に埋込めるように、インサート成形で形成し、各磁性部材１３又は２３の夫々１面だけを外側に露出させる。
【００２３】
この場合、第１リング１０の各突起部１１に設ける磁性部材１３を、Ｎ極が外側に露出するように形成し、第２リング２０の各突起部２１に設ける磁性部材２３を、Ｓ極が外側に露出するように形成する。それによって、磁性部材を磁力で互いに着接させる。勿論、磁性部材１３及び２３の極を、上述した例とは逆にしてもよい。
【００２４】
極めて強力な磁力を有する部品を、磁性部材１３及び２３として使用して、それにより該部材が、極めて強い外力が磁性部材１３及び２３に作用しない限り、互いに分離しないようにする。好適には、磁性部材１３及び２３の各々には、固体磁石を含む。しかしながら、人体に無害なゴム磁石を、各磁性部材として使用してもよい。
【００２５】
突起部１１と突起部２１とを、磁性部材１３と磁性部材２３とによって互いに着接する場合、磁性部材１３及び２３の各表面を平滑にして、それにより磁性部材を相対的に滑動する可能性がある。図５で示すように、不織布１３ａ及び２３ａを、磁性部材１３及び２３の表面に着接し、それにより横方向に磁性部材１３及び２３が滑動するのを防ぐ。
【００２６】
磁性部材１３及び２３が横方向に滑動するのを防ぐために、図６で示すように、突出部１１ａを、突起部１１の１つから僅かに突出させて、磁性部材１３を支持する。溝２１ａを他方の突起部２１に、突出部１１ａを該溝２１ａに挿入するよう形成し、磁性部材２３を突起部２１で保持する。このようにして、突起部１１と突起部２１とを磁性部材１３及び２３で互いに着接し、同時に、突出部１１ａを溝２１ａに挿入する。こうした構成体により、突起部１１と突起部２１が横に滑動するのを防ぐ。
【００２７】
突起部１１と突起部２１の着接手段として、ベルクロファスナとも呼ばれるマジックテープ（登録商標）１４及び２４を、使用してもよい。図７で示すように、マジックテープ（登録商標）１４及び２４を突起部１１及び２１に着接して、それにより突起部１１と突起部２１とを互いに着接する。
【００２８】
図８は、本発明の着接手段をフラフープに適用した状態を示す部分正面図である。第１及び第２リング１０及び２０から内方に突出する突起部１１と突起部２１には、磁性部材１３を、第１リング１０の各内方突起部１１に、Ｎ極を外側に露出させて、固定する。更に、磁性部材２３を、第２リング２０の内方突起部２１に、Ｓ極を外側に露出させて、固定する。磁性部材１３と磁性部材２３を互いに着接させ、それにより身体押圧用空隙部３０を画定する。
【００２９】
図９を参照すると、第１及び第２リング１０及び２０から外方に突起する突起部１１と突起部２１には、磁性部材１３'を第１リング１０の各外方突起部１１に、Ｓ極を外側に露出させて、固定する。更に、磁性部材２３’を第２リング２０の各外方突起部２１に、Ｎ極を外側に露出させて、固定する。このように、図面中想像線で示すように、他の第１及び第２リング１０及び２０を、第１及び第２リング１０及び２０の外側に設け、それにより多数の身体押圧用空隙部３０を形成できる。
【００３０】
即ち、磁性部材１３と磁性部材２３は、逆の磁極、即ちＮ極とＳ極を有し、該部材を、第１及び第２リング１０及び２０の内側位置で着接させる突起部１１と突起部２１に実装する。一方、磁性部材１３’と磁性部材２３’を、外側位置に位置する突起部１１と突起部２１に実装するが、磁極については、突起部１１及び２１の内側位置に取付けた磁性部材１３及び２３、即ち、Ｎ極とＳ極、とは逆の磁極であるＳ極とＮ極、を外側に露出させて、実装する。
【００３１】
このように、人が本発明のフラフープを、自分の腰周りで回転させると、身体に接触する第１及び第２リング１０及び２０の内周面が、水平方向にウエストを押圧する。水平方向の押圧力を提供する押圧作用は、従来のフラフープのものと等しい。
【００３２】
しかしながら、本発明のフラフープは、水平方向に押圧作用を与え、更に、ウエストの肉ｈが身体押圧空隙部３０に嵌入し、従ってウエストの肉ｈを垂直方向に押圧する。
【００３３】
即ち、図１０で示すように、フラフープを回転させると、第１及び第２リング１０及び２０の内周面が、水平方向（Ｘ方向）でウエストに押圧力を付与する。このときに、ウエストの肉ｈは外方に突起し、身体押圧用空隙部３０に嵌入する。
【００３４】
身体押圧用空隙部３０は流線形をしているため、身体押圧用空隙部３０に嵌入したウエストの肉ｈは、第１リング１０と第２リング２０の、広い中心部分（図１１の部分ｅ）よりはむしろ狭い部分（図１１の部分ｆ）に、押出される。それによって、ウエストの肉ｈは、身体押圧用空隙部３０から抜け出る。
【００３５】
ウエストの肉ｈを、第１リング１０と第２リング２０で、身体押圧用空隙部３０の狭い部分（図１１の部分ｆ）から押出す。この時、図１２で示すように、押圧力は、ウエストの肉に垂直方向（Ｙ方向）で作用する。
【００３６】
更に、身体押圧用空隙部３０を、一定の間隔でフラフープの周面に形成するため、垂直方向の押圧力が連続的に繰返しウエストに作用する。
【００３７】
従って、垂直方向の押圧力は、身体押圧用空隙部３０のウエストの肉ｈに連続的に繰返し作用し、それによりウエストの肉は圧迫されては解放される。このように、本発明のフラフープは、ウエストの肉ｈの脂肪分を減少させるのに有用であり、ウエストをマッサージする働きもする。
【００３８】
身体押圧用空隙部３０を、図１３で示すように、単純な流線形とする代わりに、より屈曲した形状にすると、ウエストの肉を身体押圧用空隙部３０で２回圧迫することになる。従って、ウエスト運動とマッサージ機能を、より能率的に得られる。
【００３９】
更に、本発明のフラフープを、図１４で示すように、指圧突起４０を第１及び第２リング１０及び２０の内周面に実装して、構成してもよい。
【００４０】
図１５及び図１６を参照すると、各指圧突起４０には指圧ヘッド４１を備えている。螺旋シャフト４２を指圧ヘッド４１から後方へ延伸させ、ストッパ４３を螺旋シャフト４２の端部に設ける。参照番号４４は切割部を指すが、該切割部に沿って分割した各螺旋シャフト４２の該２部分は、螺旋シャフト４２を穴に挿入する際には、互いに接触する。
【００４１】
従って、指圧突起４０を第１及び第２リング１０及び２０の内周面に固定した状態で、指圧突起４０を、左回り又は右回りに回転させる。このとき、指圧突起４０が、第１及び第２リング１０及び２０の内周面に螺入又は該内周面から螺出し、それにより、第１及び第２リング１０及び２０の内周面から突起する指圧ヘッド４１の高さを調節する。この場合、各ストッパ４３を、各第１及び第２リングの内面で止めて、指圧突起４０の不所望な脱落を防ぐ。
【００４２】
図１６及び図１７で示すように、指圧突起４０を、突起部１１及び２１の磁性部材１３及び２３を有する部分に取付けた指圧突起４０の指圧ヘッド４１の高さを高くするように、及び該指圧ヘッドの高さを、突起部の磁性部材を有する部分から離れて両側に移動するに従い、次第に低くなるように、配置する。
【００４３】
このようにして、フラフープを回転させると、ウエストの肉ｆを、指圧突起４０の指圧ヘッド４１を介して押圧し、垂直方向の押圧力をウエストの肉に、身体押圧用空隙部３０を介して作用させ、その結果ウエストの肉ｆをマッサージする。
【００４４】
即ち、ウエストの肉ｆを指圧突起４０でマッサージした直後に、ウエストの肉を、身体押圧用空隙部３０で圧迫しマッサージして、それにより優れた減量効果をウエストに対して達成できる。
【００４５】
勿論、より好適には、身体に有用な磁石又は翡翠を、指圧突起４０の指圧ヘッド４１に利用する。
【００４６】
更に、フラフープの第１及び第２リング１０及び２０を、軟質材料製とし、指圧突起４０を、第１及び第２リングに付けると、優れた効果を獲得できる。
【００４７】
フラフープの第１及び第２リング１０及び２０を軟質材料製にした場合、フラフープの回転中に発生する遠心力によって、フラフープは図１８で示すような楕円形に湾曲する。それによって、フラフープは、ウエストの肉ｆと接触する部分で図面の矢印で示すように、内方に湾曲する。
【００４８】
即ち、第１及び第２リング１０及び２０が、図１９の状態から、図２０で示すような、内方に湾曲した状態に変化すると、指圧突起４０はウエストの肉ｈを押圧し、指圧突起４０の指圧ヘッド４１を内方に移動させる。このように、指圧ヘッド４１間に存在するウエストの肉ｈを、挟んで押圧する。
【００４９】
更に、図２１で示すように、磁性部材１３"及び２３"を、第１及び第２リング１０及び２０の溝部１２及び２２に、該溝部に固定して、付けてもよい。
【００５０】
この場合、図２２で示すように、第２リング２０を水平方向に移動し、それにより第１リング１０の各溝部１２に設けた磁性部材１３”を、第２リング２０の各突起部２１に設けた磁性部材２３に磁着させる。このとき、第１リング１０と第２リング２０は互いに重なり合い、従って、２段のフラフープ構造となる。必要に応じて、図２３で示すように、数段積み重ねて、それにより、多段フラフープ構造を使用してもよい。
【産業上の利用可能性】
【００５１】
以上述べたように、本発明は、先行技術でのように水平方向の押圧力を提供するのに加えて、身体押圧空隙部を使用して垂直方向の押圧力を提供し、ウエストの肉をマッサージするフラフープで、且つ指圧突起部によって挟みながら、該ウエストの肉を押圧し、その結果ウエスト筋肉への優れた運動効果、及びウエストに関する減量効果を達成するフラフープであって、適宜多段構造を有するフラフープを提供する。
【図面の簡単な説明】
【００５２】
【図１】本発明によるフラフープを示す斜視図である。
【図２】本発明によるフラフープを示す正面図である。
【図３】本発明によるフラフープを製造する過程を説明する分解斜視図である。
【図４】本発明による突起部を着接する手段の実施例を示す断面図である。
【図５】本発明による突起部を着接する手段の実施例を示す断面図である。
【図６】本発明による突起部を着接する手段の実施例を示す断面図である。
【図７】本発明による突起部を着接する手段の実施例を示す断面図である。
【図８】本発明によるフラフープの着接した状態を示す正面図である。
【図９】本発明によるフラフープの着接した状態を示す正面図である。
【図１０】図８のＡ-Ａ'線に沿った断面図であり、本発明の身体押圧用空隙部の作用を説明している。
【図１１】本発明の身体押圧用空隙部の作用を説明する正面図である。
【図１２】本発明の身体押圧用空隙部の作用を説明する垂直断面図である。
【図１３】本発明の別の身体押圧用空隙部を説明する図である。
【図１４】指圧突起を、本発明によるフラフープの内周面に実装している状態を示す斜視図である。
【図１５】指圧突起を本発明によるフラフープの内周面に実装している状態を示す平面図である。
【図１６】図１５の部分“Ｂ”を示す拡大断面図である。
【図１７】本発明による指圧突起の配列を示す正面図である。
【図１８】本発明によるフラフープ及び指圧突起の動作を説明する平面図である。
【図１９】本発明による指圧突起の動作を示す拡大図である。
【図２０】本発明による指圧突起の動作を示す拡大図である。
【図２１】本発明の別の実施例によるフラフープの一部を示す正面図である。
【図２２】図２１のフラフープの使用について説明する図である。
【図２３】図２１のフラフープの使用について説明する図である。
【符号の説明】
【００５３】
１０                  第１リング
１１、２１        突起部
１１ａ                突出部
１２、２２        溝部
１３、２３        磁性部材
１３ａ、２３ａ不織布
１４、２４        マジックテープ（登録商標）
２０                  第２リング
２１ａ                溝
３０                  身体押圧用空隙部
４０                  指圧突起
４１                  指圧ヘッド
４２                  螺旋シャフト
４３                  ストッパ
ａ                    リング片
ｂ                    係止突部
ｃ                    係止孔
ｄ                    弾性突片
【図１】
2009509626.tif 000003
【図２】
2009509626.tif 000004
【図３】
2009509626.tif 000005
【図４】
2009509626.tif 000006
【図５】
2009509626.tif 000007
【図６】
2009509626.tif 000008
【図７】
2009509626.tif 000009
【図８】
2009509626.tif 000010
【図９】
2009509626.tif 000011
【図１０】
2009509626.tif 000012
【図１１】
2009509626.tif 000013
【図１２】
2009509626.tif 000014
【図１３】
2009509626.tif 000015
【図１４】
2009509626.tif 000016
【図１５】
2009509626.tif 000017
【図１６】
2009509626.tif 000018
【図１７】
2009509626.tif 000019
【図１８】
2009509626.tif 000020
【図１９】
2009509626.tif 000021
【図２０】
2009509626.tif 000022
【図２１】
2009509626.tif 000023
【図２２】
2009509626.tif 000024
【図２３】
2009509626.tif 000025
【国際調査報告】
2009509626.tif 000026
2009509626.tif 000027